【手続補正書】
【提出日】平成15年6月23日(2003.6.23)
【手続補正１】
【補正対象書類名】明細書
【補正対象項目名】全文
【補正方法】変更
【補正の内容】
【発明の名称】容器のライニング方法
【特許請求の範囲】
【請求項１】収蔵すべき物を投入するための開閉可能な投入口と収蔵物を排出するための開閉可能な排出口とを有する容器本体に、開閉可能な排気口部を設ける一方、ライニング素材製の可撓性の内袋を上記容器本体の内部形状と実質的に同一の形状に製作し、
上記内袋を上記容器本体内に挿入するとともに、上記容器本体の投入口及び／又は排出口を閉鎖して上記内袋の内部を密閉し、
上記排気口部を開放して上記内袋内部に圧力流体を送給することにより上記内袋と容器本体内面との間の空気を上記排気口部から排気して上記内袋を上記容器本体内面に圧着させ、
上記排気口部を閉鎖し、上記内袋内の収蔵物の圧力又は空気圧によって上記内袋を上記容器本体への圧着状態に保持するようにしたことを特徴とする容器のライニング方法。
【請求項２】収蔵すべき物を投入するための開閉可能な投入口と収蔵物を排出するための開閉可能な排出口とを有する容器本体に、開閉可能な排気口部を設ける一方、上記容器本体の内部形状と実質的に同一の形状を有するライニング素材製の可撓性の内袋を挿入するとともに、上記容器本体の投入口及び／又は排出口を閉鎖して上記内袋の内部を密閉し、
上記排気口部を開放して上記内袋内部に圧力流体を送給することにより上記内袋と容器本体内面との間の空気を上記排気口部から排気して上記内袋を上記容器本体内面に圧着させ、
上記排気口部を閉鎖し、上記内袋内の収蔵物の圧力又は空気圧によって上記内袋を上記容器本体への圧着状態に保持するようにしたことを特徴とする容器のライニング方法。
【請求項３】上記内袋の挿入前に上記容器本体内面に液体を塗布し、該液体の表面張力によって上記容器本体内面に対する内袋の圧着状態の保持力を増大するようにした請求項１又は２記載の容器のライニング方法。
【請求項４】上記液体を上記容器本体内に入れる収蔵物か又は該収蔵物と混合可能な液体とした請求項３記載の容器のライニング方法。
【請求項５】上記容器本体の投入口及び／又は排出口を密閉する前に、上記投入口及び排出口に対応する上記内袋の部分を上記投入口及び排出口に気密的に取りつけることにより上記内袋を上記容器本体内への挿入状態に保持するようにした請求項１又は２記載の容器のライニング方法。
【請求項６】上記排出口から上記内袋内に圧力流体を送給するようにした請求項１又は２記載の容器のライニング方法。
【請求項７】収蔵すべき物を投入するための開閉可能な投入口と収蔵物を排出するための開閉可能な排出口とを有する容器本体にはライニング素材からなる可撓性の内袋が挿入され、該内袋は上記容器本体の内部形状と実質的に同一の形状に製作されており、
上記容器本体には上記内袋と容器本体との間の空間に連通する開閉可能な排気口部が設けられ、
上記容器本体内に挿入された内袋は上記排気口部を開放した状態において上記内袋の内部に送給された圧力流体の圧力によって上記容器本体内面に圧着され、上記排気口部が閉鎖されることにより上記内袋が上記容器本体への圧着状態に保持されていることを特徴とするライニング容器。
【請求項８】収蔵すべき物を投入するための開閉可能な投入口と収蔵物を排出するための開閉可能な排出口とを有する容器本体にはライニング素材からなる可撓性の内袋が挿入され、該内袋は上記容器本体の内部形状と実質的に同一の形状に製作されており、
上記容器本体には上記内袋と容器本体との間の空間にそれぞれ連通する開閉可能な排気口部及び開閉可能な第１の圧力流体投入口部が設けられ、
上記容器本体内に挿入された内袋は上記排気口部及び／又は第１の圧力流体投入口部を開放した状態で上記内袋の内部に送給された圧力流体の圧力によって上記容器本体内面に圧着され、上記排気口部及び第１の圧力流体投入口部が閉鎖されることにより上記内袋が上記容器本体への圧着状態に保持されている一方、
開放した上記第１の圧力流体投入口部から上記内袋と容器本体との間に圧力流体が投入されることにより上記内袋が萎んで内袋内の収蔵物が上記排出口から強制的に押し出されるようになしたことを特徴とするライニング容器。
【請求項９】上記排気口部が上記第１の圧力流体投入口部の機能を併有している請求項８記載のライニング容器。
【請求項１０】上記容器本体には上記内袋内の空間に連通する開閉可能な第２の圧力流体投入口部がさらに設けられており、上記第１の圧力流体投入口部から投入される圧力流体の圧力よりも小さい圧力の圧力流体が上記第２の圧力流体投入口部から上記袋内に投入されることにより上記内袋内の収蔵物が上記排出口から更に強制的に押し出されるようになした請求項８又は９記載のライニング容器。
【発明の詳細な説明】
【０００１】
【発明の属する技術分野】
本発明は容器のライニング方法に関し、特に製造のコスト高を招来することなく、又真空ポンプ等の設備を必要とすることなく、内袋の脱落を確実に防止できるようにしたライニング方法に関する。
【０００２】
【従来の技術】
例えば、化学薬品や溶剤等の危険物液体を運送し貯蔵する場合、危険物液体を容器に入れるのが一般的である。かかる容器については運送や貯蔵を行う収蔵物に対する耐蝕性等が要求されることから、ユーザーが運送や貯蔵を行う収蔵物毎に容器の素材仕様を検討し、その容器自体を専用化して使用することが多く、容器の汎用性を阻害する要因になっていた。
【０００３】
これに対し、容器内面にフッ素樹脂等の樹脂シートを貼り付け、シート継目を溶着してライニングする接着ライニング法や容器内部に内袋を装着し、容器内面の汚れを極力抑制する一方、収蔵物を輸送し貯蔵した後、その内袋を取替えられるようにしたルーズライニング法が提案され（特開平０８−８０９９６号公報、等参照）、あるいは容器内面にフッ素やテフロン（登録商標）等を焼付けコーティングする方法等が提案され、いずれの方法でもライニングによって必要な特性、例えば耐蝕性等を確保できるので、容器の汎用性を向上できることが期待される。
【０００４】
【発明が解決しようとする課題】
しかし、従来のルーズライニング法では容器内面と内袋との間の密着が不十分となりやすく、注入時や排出時に攪拌する必要のある収蔵物の場合には攪拌中に内袋が容器内面から脱落して攪拌機に巻き付き、内袋や攪拌機を損傷するおそれがあり、実際にはルーズライニング法を適用できない状況が多くあった。
【０００５】
その為、内袋と容器内面との間を真空に保持し、内袋の脱落を防止するようにした方法が提案されているが（特開平０７−２０６０８４号公報、特開平０７−２１５３９５号公報、特開平０７−２９１３９２号公報、等参照）、容器に真空ポンプ等の設備を搭載する必要がある。
【０００６】
また、従来の接着コーティング法や焼付けコーティング法では接着やコーティングに特殊な技術を必要とし、製造のコストアップを招来しやすく、ユーザにおける設備投資の負担が増大し、実用性に乏しい容器であった。
【０００７】
本発明はかかる問題点に鑑み、製造のコスト高を招来することなく、又真空ポンプ等の設備を必要とすることなく、内袋の脱落を確実に防止できるようにした容器のライニング方法を提供することを課題とする。
【０００８】
【課題を解決するための手段】
そこで、本発明に係る容器のライニング方法は、収蔵すべき物を投入するための開閉可能な投入口と収蔵物を排出するための開閉可能な排出口とを有する容器本体に、開閉可能な排気口部を設ける一方、ライニング素材製の可撓性の内袋を上記容器本体の内部形状と実質的に同一の形状に製作し、上記内袋を上記容器本体内に挿入するとともに、上記容器本体の投入口及び／又は排出口を閉鎖して上記内袋の内部を密閉し、上記排気口部を開放して上記内袋内部に圧力流体を送給することにより上記内袋と容器本体内面との間の空気を上記排気口部から排気して上記内袋を上記容器本体内面に圧着させ、上記排気口部を閉鎖し、上記内袋内の収蔵物の圧力又は空気圧によって上記内袋を上記容器本体への圧着状態に保持するようにしたことを特徴とする。
【０００９】
また、容器本体の内部形状と実質的に同一の形状の内袋があらかじめ製作されあるいは市販されるようになると、これを入手して容器本体にライニングを行うことができる。即ち、本発明に係る容器のライニング方法は、収蔵すべき物を投入するための開閉可能な投入口と収蔵物を排出するための開閉可能な排出口とを有する容器本体に、開閉可能な排気口部を設ける一方、上記容器本体の内部形状と実質的に同一の形状を有するライニング素材製の可撓性の内袋を挿入するとともに、上記容器本体の投入口及び／又は排出口を閉鎖して上記内袋の内部を密閉し、上記排気口部を開放して上記内袋内部に圧力流体を送給することにより上記内袋と容器本体内面との間の空気を上記排気口部から排気して上記内袋を上記容器本体内面に圧着させ、上記排気口部を閉鎖し、上記内袋内の収蔵物の圧力又は空気圧によって上記内袋を上記容器本体への圧着状態に保持するようにしたことを特徴とする。
【００１０】
例えば，内袋を容器本体内面に圧着させる方法として、内袋と容器本体内面との間の空気を真空ポンプで吸引する方法が考えられる。しかし、かかる方法では内袋のいずれかの部位が容器本体内面に密着すると、その近傍の残留空気にはもはや真空ポンプの吸引力が作用せず、内袋と容器本体内面との間の空気が残留してしまい、空気を完全に抜くことができないおそれがある。
【００１１】
これに対し、本発明の特徴の１つは内袋内部に圧力流体を供給して内袋と容器本体との間の空気を排気口部から押し出して排気し、内袋を容器本体内面に圧着させた後、排気口部を閉鎖して圧着状態を保持するようにした点にある。これにより、内袋と容器本体内面との間の空気はどのような箇所であっても圧力流体の圧力によって排気口部に向けて押され、内袋と容器本体内面との間に残留することはなく、全ての空気が円滑に排気口部から排気されることとなる。
【００１２】
従って、内袋と容器本体内面との間に形成された圧着状態が損なわれない限り、内袋内部に多少の負圧が作用しても、内袋が容器本体から脱落するおそれはなく、ライニングの信頼性を大幅に向上できる。
【００１３】
また、内袋素材を容器内の収蔵物の特性に応じて適宜選択することにより、耐蝕性等、必要な容器特性を確保でき、容器を特定の収蔵物に専用化する必要がなく、容器の汎用性を大幅に向上することができる。
【００１４】
また、内袋を容器本体内に挿入し、圧力流体を送給することにより、内袋を膨出させて容器本体内面に圧着するようにしているので、内袋の接着やフッ素やテフロン（登録商標）の焼付けコーティングといった特殊の技術を必要とする作業工程を省略することができ、ライニング工程を簡単化でき、しかもコスト高を招来することもない。
【００１５】
さらに、内袋の容器本体への圧着状態が安定しているので、内袋自体の寿命が向上し、収蔵物の攪拌作業にも対応でき、運搬・貯蔵作業全般の効率をより向上できる。
【００１６】
また、内袋を交換する場合には排気口部を開放すると、内袋と容器本体との間に空気が侵入して内袋が簡単に脱落するので、内袋を簡単に剥離して交換でき、しかも容器の外側から交換作業を行うことができ、作業者の安全性を保証することができる。
【００１７】
さらに、容器自体の汎用性が向上するので、無駄な容器を保有する必要がなくなる結果、資源の有効活用に寄与でき、又容器本体をリサイクル容易な素材に選定しておくと、容器廃棄時に簡単にリサイクルでき、環境問題にも寄与できることとなる。
【００１８】
内袋の素材は可撓性を有するものであれば特に限定されず、容器の用途や容器収蔵物の物性等に応じて適宜選択するようにすればよい。また、排気口部は容器本体のいずれに設けてもよいが、作業性を考慮すると、容器本体の上方部位に設けるのがよい。排気口部は例えば開閉可能なバルブを備えた構造を採用することができる。
【００１９】
内袋は単に容器本体内面との間の空気を排気することにより容器本体内面に圧着させるようにしてもよいが、容器本体内面に液体を塗布しておくと、液体の表面張力によって圧着保持力を増大できる。即ち、内袋の挿入前に、容器本体内面に液体を塗布し、液体の表面張力によって容器本体内面に対する内袋の圧着状態の保持力を増大するのが更に好ましい。この液体は例えば水を用いることができるが、容器本体内に入れる収蔵物、あるいは収蔵物と混合可能な液体とすることができる。
【００２０】
内袋のライニング作業性を考慮すると、容器本体の投入口及び／又は排出口を密閉する前に、投入口及び排出口に対応する内袋の部分を投入口及び排出口に気密的に取りつけることにより内袋を容器本体内への挿入状態に保持するようにするのがよい。
【００２１】
圧力流体は内袋を内方から加圧できれば液体でもよく、気体でもよい。この圧力流体はどのような箇所から内袋内部に送給してもよいが、投入口及び排出口が設けられている容器本体の構造に着目すると、容器本体の排出口又は投入口から内袋内に送給するようにするのがよい。但し、投入口は排出口に比して大径があることが多く、かかる場合には小径の排出口を利用するのがよい。
【００２２】
また、上述の方法でライニングされた容器の構造も新規であり、本発明によれば新規な構造のライニング容器を提供することができる。
【００２３】
本発明に係るライニング容器は、収蔵すべき物を投入するための開閉可能な投入口と収蔵物を排出するための開閉可能な排出口とを有する容器本体にはライニング素材からなる可撓性の内袋が挿入され、該内袋は上記容器本体の内部形状と実質的に同一の形状に製作されており、上記容器本体には上記内袋と容器本体との間の空間に連通する開閉可能な排気口部が設けられ、上記容器本体内に挿入された内袋は上記排気口部を開放した状態において上記内袋の内部に送給された圧力流体の圧力によって上記容器本体内面に圧着され、上記排気口部が閉鎖されることにより上記内袋が上記容器本体への圧着状態に保持されていることを特徴とする。
【００２４】
ところで、化学薬品や溶剤の液体原料等を容器に入れて輸送し、納入先で容器から排出する場合、ポンプで吸引して排出させる方法、重力で自然排出させる方法、容器内部の直接加圧によって強制的に排出する方法が採用されることが多い。しかし、容器の収蔵物である液体原料等には外気と直接接触させることができないもの、高粘度であるが故に自然排出、ポンプによる吸引排出あるいは直接加圧による強制排出では長時間必要なものや、排出ができないものが存在する。その結果、上記液体原料の容器からの排出に適した特殊な設備を装備せざるをえず、コスト高を招来する。しかも、輸送排出後には洗浄作業を必要とし、洗浄コストが高くなるとともに，作業に長時間を必要とする。
【００２５】
これに対し、容器内に内蓋を設け、内蓋外周縁と容器内面との間をシールし、内蓋をスライドさせて容器収蔵物を押し出すようにした方式が提案されている（特許第３０３５５６８号参照）。かかる排出方式では容器収蔵物が外気と直接接触せず、又容器内の残液が少なく、洗浄作業を軽減できるが、容器の構造が複雑でコスト高を招来し、ユーザの負担が大きい。
【００２６】
他方、本発明に係るライニング容器は内袋と容器本体の内面との間の空気を押し出して内袋を容器内面に圧着させている点に特徴がある。そこで、収蔵物の排出時に内袋と容器本体の内面との間に圧力流体を投入し、内袋をない方に萎ませることによって収蔵物を強制的に押し出すことができる。
【００２７】
本発明に係るライニング容器は、収蔵すべき物を投入するための開閉可能な投入口と収蔵物を排出するための開閉可能な排出口とを有する容器本体にはライニング素材からなる可撓性の内袋が挿入され、該内袋は上記容器本体の内部形状と実質的に同一の形状に製作されており、上記容器本体には上記内袋と容器本体との間の空間にそれぞれ連通する開閉可能な排気口部及び開閉可能な第１の圧力流体投入口部が設けられ、上記容器本体内に挿入された内袋は上記排気口部及び／又は第１の圧力流体投入口部を開放した状態で上記内袋の内部に送給された圧力流体の圧力によって上記容器本体内面に圧着され、上記排気口部及び第１の圧力流体投入口部が閉鎖されることにより上記内袋が上記容器本体への圧着状態に保持されている一方、開放した上記第１の圧力流体投入口部から上記内袋と容器本体との間に圧力流体が投入されることにより上記内袋が萎んで内袋内の収蔵物が上記排出口から強制的に押し出されるようになしたことを特徴とする。
【００２８】
本発明の特徴の１つは容器内面に圧着した内袋を圧力流体によって萎ませることによって収蔵物を強制的に押し出すようにした点にある。これにより、容器収蔵物を外気と直接接触させることなく排出できる。
【００２９】
また、容器内の残液を極力少なくして収蔵物を排出することができるので、洗浄作業を極力削減でき、必要な場合には内袋を交換すれば対処でき、高価な洗浄費用を節約できる。
【００３０】
さらに、容器自体に特別な設備を設ける必要がないので、ライニング容器のコスト高を招来することもない。
【００３１】
圧力流体は内袋と容器本体内面との間に投入されて内袋を内方に加圧できれば液体でもよく、気体でもよい。第１の圧力投入口部は内袋と容器本体内面との間の空間に連通すれば容器本体のいずれの部位に設けてもよいが、本発明では内袋と容器本体内面との間の空間に連通して排気口部も設けられている構造上の特徴から、排気口部に第１の圧力流体投入口部の機能を併有させることもできる。
【００３２】
また、内袋を萎ませるている際に、内袋内の収蔵物に圧力を加えると、収蔵物の押し出しがさらに促進されるが、その圧力が大き過ぎると、内袋の収縮が阻害される。そこで、容器本体には内袋内の空間に連通する開閉可能な第２の圧力流体投入口部をさらに設け、第１の圧力流体投入口部から投入される圧力流体の圧力よりも小さい圧力の圧力流体を第２の圧力流体投入口部から袋内に投入することにより内袋内の収蔵物を排出口から更に強制的に押し出すように構成することもできる。
【００３３】
【発明の実施の形態】
以下、本発明を図面に示す具体例に基づいて詳細に説明する。図１ないし図１０は本発明に係る容器のライニング方法の好ましい実施形態を示し、これは危険物液体の運送及び貯蔵に用いる中型容器に適用した例である。図において、フレームＦには容器１０が支持されている。
【００３４】
この容器１０は図１及び図３に示されるように、本体２０が四角形筒状をなし、その上端面には収蔵物投入用のマンホール（投入口）２１が形成され、該マンホール２１は蓋２２によって開閉されるように設けられ、又容器本体２０の上端面には安全弁２３及び排気口２４が取付けられている。
【００３５】
他方、容器本体２０の下端面には排液パイプ（排出口）２５が接続され、該排液パイプ２５には開閉バルブ２６が取付けられ、又容器本体２０の上端面にはライニング用排気バルブ（第１の圧力流体投入口部兼排気口部）２７が取付けられている。
【００３６】
容器本体２０内面にライニングすべき内袋３０は図２に示されるように、テフロン（登録商標）樹脂をコーティングした可撓性のシートを用いて製作されている。
【００３７】
この内袋本体３１は容器本体２０の内部形状と同一の形状寸法をなし、内袋本体３１の上端面には投入口２１周縁に取付けられるフランジ付き取付け部分３２、安全弁２３に取付けられるフランジ付き取付け部分３３及び排気口２４に取付けられるフランジ付き取付け部分３４が一体的に形成され、又内袋本体３１の下端面には排液パイプ２５及び開閉バルブ２６に取付けられるフランジ付き取付け部分３５が形成されている。
【００３８】
容器本体２０に内袋３０のライニングを施す場合、容器本体２０と同一の寸法形状に製作した内袋３０を容器本体２０内に挿入し、図４及び図５に示されるように、内袋３０の取付け部分３２を容器本体２０のマンホール２１から引き出してマンホール２１のフランジ上に被せ、その上からＯリング４０を載せ、マンホール蓋２２を閉じた時にＯリング４０で押さえ込んで固定して気密性を保持する。なお、Ｏリング４０の収容溝についてはＯリング４０が脱落せず、かつ内袋３０を確実にシールできるような構造、例えば蟻溝に加工するのがよい。
【００３９】
また、安全弁２３及び排気口２４についても同様に、内袋３０を気密的に取付ける。例えば、安全弁２３の取付け箇所においては図６に示されるように、容器本体２０には取付けベース部２３０が固定され、該取付けベース部２３０にはパッキン２３３を介して安全弁本体２３１が当接され、両者の当接フランジ部分が締付けリング２３２によって相互に固定されている。そこで、パッキン２３３と取付けベース部２３０の上端フランジ部分との間に内袋３０の取付け部分３３を引き出し、締付リング２３２で締付け固定すると、安全弁２３に内袋３０を気密的に取付けることができる。
【００４０】
また、排気口２４においては図７に示されるように、容器本体２０には取付けベース部２４０が固定され、該取付けベース部２４０にはパッキン２４４を介してねじ部２４１が当接され、両者の当接フランジ部分が締付けリング２４２によって相互に固定されている。そこで、パッキン２４４と取付けベース部２４０の上端フランジ部分との間に内袋３０の取付け部分３４を引き出し、締付リング２４２で締付け固定すると、排気口２４に内袋３０を気密的に取付けることができるので、ねじ部２４１にキャップ２４３を螺合させると、気密構造を確保することができる。
【００４１】
さらに、排液パイプ２５側についても同様に内袋３０を気密的に取付ける。例えば、排液パイプ２５において図８に示されるように、排液パイプ２５の先端には取付けフランジが形成され、該取付けフランジには開閉バルブ２６の取付けフランジが当接され、両者の間にパッキン２５１を介在させて締付リング２５０によって固定されている。そこで、内袋３０の取付け部分３５を排液パイプ２５内に挿通してパッキン２５１との間から引き出し、締付リング２５０で締付固定すると、排液パイプ２５に内袋３０を気密的に取付けることができる。
【００４２】
こうして内袋３０を容器本体２０内に気密的に挿入状態に保持できると、容器本体２０のライニング用排気バルブ２７を開き、容器本体２０の排液パイプ２５の開閉バルブ２６から内袋３０の内部に高圧空気Ａを送給する。
【００４３】
すると、図９に示されるように、内袋３０は高圧空気の圧力を受けて膨出し、内袋３０と容器本体２０の内面との間の空気Ｂが排気バルブ２７から大気に放出され、高圧空気を十分に送給すると内袋３０と容器本体２０の内面との間の空気は全て大気に放出されてなくなり、内袋３０は図１０に示されるように容器本体２０の内面に圧着するので、排気バルブ２７を閉じると、内袋３０と容器本体２０との間には外部から空気が侵入することができず、マンホール２１の蓋２２や排気口２４を開放しても内袋３０が容器本体２０から脱落することはない。
【００４４】
こうして容器本体２０のライニングが済むと、収蔵物投入用のマンホール２１の蓋２２をあけ、収蔵物、例えば危険物液体を容器１０内に投入した後、蓋２２を閉じれば危険物液体を容器１０に貯蔵することができる。
【００４５】
危険物液体を排出する場合、図１１に示されるように、排気バルブ２７及び排液パイプ２５の開閉バルブ２６をあけ、内袋３０と容器本体２０との間に排気バルブ２７から加圧エアーを投入する。すると、内袋３０は投入された加圧エアーによって内方に萎んで収蔵物の危険物液体を加圧し、危険物液体は排液パイプ２５から強制的に押し出され、容器本体２０内の危険物液体を確実に排出することができる。
【００４６】
従って、危険物液体が高粘度の液体であっても、又空気に触れさせることができないような液体であっても安全かく確実に、しかも残液を残すことなく容器本体１０から排出することができる。
【００４７】
内袋３０を交換する場合には容器本体２０のライニング用排気バルブ２７を開放すると、容器本体２０内面と内袋３０との間には大気圧によって空気が侵入し、圧着が解放されるので、マンホール２１、安全弁２３、排気口２４及び開閉バルブ２６の内袋３０の取付けを外すと、内袋３０を簡単に容器本体２０から取り外すことができるので、後は上記と同様にして新しい内袋３０を容器本体２０内に装着しライニングすればよい。
【図面の簡単な説明】
【図１】本発明に係るライニング方法の好ましい実施形態が適用される容器を示す図である。
【図２】上記実施形態における内袋を示す図である。
【図３】上記容器を示す平面拡大図である。
【図４】上記実施形態を説明するための容器本体の平面拡大図である。
【図５】図４の側面図である。
【図６】上記容器における安全弁の構造例を示す図である。
【図７】上記容器における排気口の構造例を示す図である。
【図８】上記容器における排液パイプ側の構造例を示す図である。
【図９】上記実施形態における高圧空気の送給時の状態を示す図である。
【図１０】内袋をライニングした状態を示す図である。
【図１１】上記実施形態における収蔵物の強制排出時の状態を示す図である。
【符号の説明】
１０      容器
２０      容器本体
２１      マンホール
２２      蓋
２３      安全弁
２４      排気口
２５      排液パイプ（排出口）
２６      開閉バルブ（排出口）
２７      ライニング用排気バルブ（第１の圧力流体投入口部兼排気口部）
３０      内袋
Ａ        高圧空気
Ｂ        排出空気